(57)【要約】【課題】活線作業を中断することなく上下位置を容易に調整することができる作業性のよい柱上組立式作業台を提供する。【解決手段】締付け部材１を介して柱２に着脱自在に固定される取付部材３と、前記取付部材３に対して水平面内の角度調整可能で上下位置固定となるように着脱自在に取り付けられる支持部材４と、支持部材４上に着脱自在に載設される作業台ユニット５と、を備え、前記作業台ユニット５は、足踏み式ペダル１８ａ付きの油圧力発生装置１８により昇降操作される作業台板１５を具備している。【選択図】  図１
2006214229.tif 000002
【特許請求の範囲】
【請求項１】
柱（２）に着脱自在に固定される取付部材（３）と、
前記取付部材（３）に対して水平面内の角度調整可能で上下位置固定となるように着脱自在に取り付けられる支持部材（４）と、
前記支持部材（４）上に着脱自在に載設される作業台ユニット（５）と、を備え、
前記作業台ユニット（５）は、油圧力発生装置（１８）により昇降操作される作業台板（１５）を具備していることを特徴とする柱上組立式作業台。
【請求項２】
締付け部材（１）を介して柱（２）に着脱自在に固定される取付部材（３）と、
前記取付部材（３）に対して水平面内の角度調整可能で上下位置固定となるように着脱自在に取り付けられる支持部材（４）と、
前記支持部材（４）上に着脱自在に載設される作業台ユニット（５）と、を備え、
前記作業台ユニット（５）は、
前記支持部材（４）に載置されて着脱自在に固定される台フレーム（１３）と、
前記台フレーム（１３）に取り付けられるリンク部材（１４ａ，１４ｂ）と、
前記リンク部材（１４ａ，１４ｂ）により水平状態を保持して上下位置調整自在に支持される作業台板（１５）と、
前記リンク部材（１４ａ，１４ｂ）に設けられる油圧シリンダー（１６）と、
前記油圧シリンダー（１６）を駆動させるために前記作業台板（１５）上に設けられる足踏み式ペダル（１８ａ）付きの油圧力発生装置（１８）と、により構成されることを特徴とする柱上組立式作業台。
【請求項３】
締付け部材（２１）を介して柱（２）に着脱自在に固定される取付部材（２３）と、
前記取付部材（２３）に対して水平面内の角度調整可能で上下位置固定となるように着脱自在に取付られる支持部材（２４）と、
前記支持部材（２４）上に配設されるリンク部材（１４ａ，１４ｂ）により水平状態を保持して上下位置調整自在に支持される作業台板（３５）と、
前記リンク部材（１４ａ，１４ｂ）に設けられる油圧シリンダー（１６）と、
前記油圧シリンダー（１６）を駆動させるための油圧力発生装置（１８）と、を備えたことを特徴とする柱上組立式作業台。
【請求項４】
前記支持部材（２４）と、リンク部材（１４ａ，１４ｂ）及び作業台板（３５）と、が着脱自在に構成されることを特徴とする請求項３に記載の柱上組立式作業台。
【請求項５】
前記支持部材（４，２４）の両側部には、作業者が乗載可能なステップ部材（２２，２２）が突設されていることを特徴とする請求項１乃至４の何れかに記載の柱上組立式作業台。
【発明の詳細な説明】
【技術分野】
【０００１】
本発明は、電柱等で行われるいわゆる柱上作業に使用するために柱上で容易に組み立てられる柱上組立式作業台に関する。
【背景技術】
【０００２】
電柱等に着脱自在に取り付けられる作業台は、従来、例えば、チェーンやベルトを電柱に巻回させて締付手段で締め付けることによって取り付けられる作業台板を、水平面内に回動自在とし、かつ、上下移動をも可能としたものが提案されている（例えば、特許文献１参照）。
【０００３】
この例では、特に、ホットスティック等の操作具を用いて活線作業を行う際に、電柱まわりに広い作業エリアを確保できる上に、電柱上の固定物、例えば、腕金等と、作業台板の支持部（踏板取付台）との間に張線器を配置して、作業台板に乗載した作業者がその張線器を操作することにより、作業台板を上下に移動させることができるように構成されている。
【０００４】
【特許文献１】実開平６−５６３２７号公報
【発明の開示】
【発明が解決しようとする課題】
【０００５】
しかし、上述の特許文献１に記載されている従来の作業台では、特に、作業台板を上下に移動させるためには、電柱上の固定物と作業台板の支持部との間に張線器を配置する必要があり、その張線器を操作するために、作業者は、活線作業を中断しなければならず、その移動操作時の作業性がよくなかった。
【０００６】
本発明は、このような実情に鑑みてなされ、活線作業を中断することなく上下位置を容易に調整することができる組立作業性のよい柱上組立式作業台を提供することを目的とする。
【課題を解決するための手段】
【０００７】
（１）本発明の柱上組立式作業台は、柱２に着脱自在に固定される取付部材３と、
前記取付部材３に対して水平面内の角度調整可能で上下位置固定となるように着脱自在に取り付けられる支持部材４と、
前記支持部材４上に着脱自在に載設される作業台ユニット５と、を備え、
前記作業台ユニット５は、油圧力発生装置１８により昇降操作される作業台板１５を具備していることを特徴とする。
【０００８】
このような構成によれば、作業台板１５に乗載した作業者が油圧力発生装置１８を操作することで、作業台板１５を上昇させることができるため、作業者は活線作業を中断することなく上下位置の調整を行うことができる。その油圧力発生装置１８は、例えば、足踏み式ペダルを備えたもの等が好ましいが、手動式のものや電動式等であってもよい。また、取付部材３、支持部材４及び作業台ユニット５がそれぞれ着脱自在であるから、個々の部材を柱２の上部へ容易に吊り上げることができるため組み立て時の作業性がよく、また、撤去する際にも分割して吊り下ろすことができるため撤去時の作業性も良好となる。
【０００９】
（２）本発明の別の柱上組立式作業台は、締付け部材１を介して柱２に着脱自在に固定される取付部材３と、
前記取付部材３に対して水平面内の角度調整可能で上下位置固定となるように着脱自在に取り付けられる支持部材４と、
前記支持部材４上に着脱自在に載設される作業台ユニット５と、を備え、
前記作業台ユニット５は、
前記支持部材４に載置されて着脱自在に固定される台フレーム１３と、
前記台フレーム１３に取り付けられるリンク部材１４ａ，１４ｂと、
前記リンク部材１４ａ，１４ｂにより水平状態を保持して上下位置調整自在に支持される作業台板１５と、
前記リンク部材１４ａ，１４ｂに設けられる油圧シリンダー１６と、
前記油圧シリンダー１６を駆動させるために前記作業台板１５上に設けられる足踏み式ペダル１８ａ付きの油圧力発生装置１８と、により構成されることを特徴とする。
【００１０】
このような構成によれば、作業台板１５に乗載した作業者が足踏み式ペダル１８ａを操作することで、作業台板１５を上昇させることができるため、作業者は活線作業を中断することなく上下位置の調整を行うことができる。また、取付部材３、支持部材４及び作業台ユニット５がそれぞれ着脱自在であるから、個々の部材を柱２の上部へ容易に吊り上げることができ、かつ、作業台ユニット５は、台フレーム１３にリンク部材１４ａ，１４ｂを介して水平状態を保持して支持される作業台板１５を足踏み式ペダル１８ａ付きの油圧力発生装置１８で上下位置調整自在となるように一体化されているので、柱上での面倒な組立作業が不要となり組み立て作業性がよく、また、撤去する際にも分割が容易で撤去時の作業性も良好となる。
【００１１】
（３）本発明のさらに別の柱上組立式作業台は、締付け部材２１を介して柱２に着脱自在に固定される取付部材２３と、
前記取付部材２３に対して水平面内の角度調整可能で上下位置固定となるように着脱自在に取付られる支持部材２４と、
前記支持部材２４上に配設されるリンク部材１４ａ，１４ｂにより水平状態を保持して上下位置調整自在に支持される作業台板３５と、
前記リンク部材１４ａ，１４ｂに設けられる油圧シリンダー１６と、
前記油圧シリンダー１６を駆動させるための油圧力発生装置１８と、を備えたことを特徴とする。
【００１２】
このような構成によれば、作業台板３５に乗載した作業者が油圧力発生装置１８により油圧シリンダー１６を駆動させることで、作業台板３５を上昇させることができるため、作業者は活線作業を中断することなく上下位置の調整を行うことができる。また、支持部材２４上に油圧シリンダー１６を設けたリンク部材１４ａ，１４ｂを介して作業台板３５を支持させているため、柱上では、柱２に取り付けた取付部材２３に支持部材２４を組み付ければ組立が完了するため、組み立て作業性がよい。その油圧力発生装置１８は、例えば、足踏み式ペダルを備えたもの等が好ましいが、手動式のものや電動式等であってもよい。
【００１３】
（４）（３）項に記載の柱上組立式作業台では、前記支持部材２４と、リンク部材１４ａ，１４ｂ及び作業台板３５と、が着脱自在に構成されてもよい。このようにすれば、柱２の上部への部材の吊り上げがより一層容易となる。
【００１４】
（５）以上のように構成される柱上組立式作業台では、前記支持部材４，２４の両側部には、作業者が乗載可能なステップ部材２２，２２が突設されてもよい。このようにすれば、例えば、油圧力の供給を停止して作業台板１５，３５を下げる際等に、必要に応じて、ステップ部材２２，２２に足を載せることで高い安全性を確保することができる。
【発明の効果】
【００１５】
本発明の柱上組立式作業台は、作業台板に乗載した作業者が油圧力発生装置を操作することで、作業台板を上昇させることができるため、作業者は活線作業を中断することなく上下位置の調整を行うことができる。また、取付部材、支持部材及び作業台ユニットがそれぞれ着脱自在であるから、個々の部材を柱の上部へ容易に吊り上げることができるため組み立て時の取り扱い作業性がよく、また、撤去する際の部材の吊り下ろし作業も容易となる。
【００１６】
本発明の別の柱上組立式作業台は、作業台板に乗載した作業者が足踏み式ペダルを操作することで、作業台板を上昇させることができるため、作業者は活線作業を中断することなく上下位置の調整を行うことができる。また、取付部材、支持部材及び作業台ユニットがそれぞれ着脱自在であるから、個々の部材を柱の上部へ容易に吊り上げることができ、かつ、作業台ユニットは、台フレームにリンク部材を介して水平状態を保持して支持される作業台板を足踏み式ペダル付きの油圧力発生装置で上下位置調整自在となるように一体化されているので、柱上での面倒な組立作業が不要となり組み立て作業性がよく、また、撤去する際にも分割が容易で撤去時の作業性も良好となる。
【００１７】
本発明のさらに別の柱上組立式作業台は、作業台板に乗載した作業者が油圧力発生装置により油圧シリンダーを駆動させることで、作業台板を上昇させることができるため、作業者は活線作業を中断することなく上下位置の調整を行うことができる。また、支持部材上に油圧シリンダーを設けたリンク部材を介して作業台板を支持させているため、柱上では、柱に取り付けた取付部材に支持部材を組み付ければ組立が完了するので、組み立て作業性がよい。
【発明を実施するための最良の形態】
【００１８】
以下に、本発明の最良の実施の形態に係る柱上組立式作業台について図面を参照しつつ詳細に説明する。
〔実施の形態１〕
図１は電柱に組み付けた状態の柱上組立式作業台の側面図、図２（ａ）は取付金具の平面図、（ｂ）は正面側から見た斜視図、図３（ａ）は支持部材の側面から見た斜視図、（ｂ）は平面的な斜視図、図４（ａ）は作業台ユニットの側面から見た斜視図、（ｂ）は平面的な斜視図である。これらの図に示すように、この柱上組立式作業台は、締付け部材１を介して電柱（本発明の柱）２に着脱自在に固定される取付金具（本発明の取付部材）３と、取付金具３に対して水平面内の角度調整可能で上下位置固定となるように着脱自在に取り付けられる支持部材４と、支持部材４上に着脱自在に載設される作業台ユニット５と、を備えている。
【００１９】
取付金具３（図２（ａ）（ｂ）参照）は、電柱２の曲面に沿うように二股状に形成された当接面を有する上下一対の固定部材３ａ，３ｂが、２本のパイプ材３ｃ，３ｃで立体的に接続されてなり、固定部材３ａ，３ｂは二枚の板部材を組み合わせて高剛性に形成され、その中央部には受け孔３ｄ，３ｄが形成され、固定部材３ａ，３ｂの一端にはチェーン６が接続され、他端には、チェーン６を締め付けるための手締め式の締結手段７が取り付けられている。その上側の固定部材３ａの一側部には、受け孔３ｄ内に突入する位置決めピン３ｅが設けられている。なお、チェーン６と締結手段７で本発明の締付け部材１を構成しているが、チェーン６に代えてベルトが用いられてもよい。
【００２０】
支持部材４（図３（ａ）（ｂ）参照）は、側面視で略Ｌ字状に形成され、アングル材等を組み合わせて平面視で矩形状に形成される横置フレーム８と、その横置フレーム８の基端部に立設状態に一体化される立置部材９と、からなり、横置フレーム８の基部近傍部位と先端部近傍部位の左右両側には、左右一対のユニット受部８ｂ，８ｃが突設され、立置部材９には、取付金具３に設けられている２つの受け孔３ｄ，３ｄに上方から回動自在に嵌め込まれる支軸９ｄ，９ｄが下向きに突設されている。
【００２１】
上側の支軸９ｄを支持しているブラケット９ｂには、２つの位置決めピン９ｅ，９ｅが下向きに設けられ、その何れかが、取付金具３の上側の固定部材３ａに形成されたピン孔３ｆ，３ｆの何れかに係入されることで、支持部材４の水平面内の左右に回動させた場合（左右に４５°）の位置設定ができるようになっている。作業台ユニット（支持部材４）５をセンター位置に設定する場合には、上側の支軸９ｄに形成されているピン孔（図示省略）に、取付金具３の固定部材３ａに設けている位置決めピン３ｅを横方向から係入させればよい。
【００２２】
上述の位置決めピン３ｅ，９ｅ及び係止ピン８ｅは、何れもスプリング（図示省略）を内蔵し、スプリングの付勢力に抗してピン先を引っ込めた解除位置に摘み部を係止可能で、この状態から、摘み部を（例えば、９０°）回動させて係止状態を解除すると、スプリングの付勢力でピン先が係入方向に突出するように構成されている。
【００２３】
作業台ユニット５（図４（ａ）（ｂ）参照）は、アングル材等を組み合わせて基端側開放（図４（ａ）の右側）の矩形状に形成される台フレーム１３と、リンク機構１４と、昇降動作する作業台板１５と、を備え、台フレーム１３の両側と、作業台板１５の下部両側には、それぞれ断面略コ字状の一対のガイドレール１３ａ，１３ａ及び１５ａ，１５ａが設けられている。
【００２４】
リンク機構１４は、中間部で互いに回動自在に枢結される一対のリンク部材１４ａ，１４ｂを左右に有し、リンク部材１４ａ，１４ｂの一端は、それぞれ、ガイドレール１３ａ，１５ａに回動自在に枢着される一方、リンク部材１４ａ，１４ｂの他端に設けられたガイドローラ（図示省略）が、それぞれガイドレール１３ａ，１５ａに摺動自在に遊嵌されている。
【００２５】
リンク部材１４ａ，１４ｂ間には、油圧シリンダー１６が設けられ、その油圧シリンダー１６が、油圧ホース１７を介して、作業台板１５の上に設けられた足踏み式ペダル付きの油圧力発生装置１８に接続され、作業台板１５に乗載した作業者が、足踏み式ペダル１８ａを足踏み操作することで、作業台板１５を上昇動作させることができ、足踏み操作をやめると、その位置で作業台板１５は固定される。また、油圧力発生装置１８に設けられているハンドル１８ｂを回動操作して油圧油を油圧力発生装置１８に回収すれば、作業台板１５を下降させることができる。
【００２６】
台フレーム１３の先端部には、略コの字状に形成される係止部材１９が下方に向けて突設され（図４（ａ）（ｂ）参照）、この係止部材１９を、支持部材４の横置フレーム８の先端部の横桟８ａに嵌め込み係止させることができる一方、台フレーム１３の左右の基端部にはピン孔１３ｅ，１３ｅが形成され、上述の係止部材１９を横桟８ａに係止させた状態にて、支持部材４の横置フレーム８に設けられた係止ピン８ｅ，８ｅをピン孔１３ｅ，１３ｅに係入させることで、作業台ユニット５を支持部材４に位置決め状態で載設固定することができる。
【００２７】
以上のように構成される柱上組立式作業台の電柱２への組み付け手順等について説明すると、まず、作業者が電柱２に登り、ロープ等で取付金具３を吊り上げた後、チェーン６，６を電柱２に巻回させて締結手段７，７で締め付けて締結することにより電柱２に対して取付金具３を緊締状態に固定する。次いで、支持部材４を吊り上げ、その支持部材４の支軸９ｄ，９ｄを取付金具３の受け孔３ｄ，３ｄに上方から嵌め込み、作業台ユニット５をセンター位置に設定する場合（図５（ｂ）参照）には、支持部材４の上側の支軸９ｄに形成されているピン孔に、取付金具３の上側の固定部材３ａに設けてある位置決めピン３ｅを係入させればよい。
【００２８】
次に、リンク部材１４ａ，１４ｂを折り畳んだ状態とした作業台ユニット５を吊り上げ、その台フレーム１３を支持部材４のユニット受部８ｂ，８ｂ、８ｃ，８ｃに載せて、電柱２から離れる方向にスライドさせることで、台フレーム１３の先端部に設けてある係止部材１９を、支持部材４の横置フレーム８の先端部の横桟８ａに嵌め込み係止させた後、支持部材４の横置フレーム８に設けてある係止ピン８ｅ，８ｅを台フレーム１３のピン孔１３ｅ，１３ｅに係入させることで、作業台ユニット５を支持部材４に位置決めした状態で固定することができ、これで柱上組立式作業台の電柱２への組み付けが終了する。
【００２９】
この状態では、作業台ユニット５は支持部材４に安定な状態で支持されており、作業台ユニット５にたとえ上向きの外力が作用した場合でも、作業台ユニット５は支持部材４から外れることはなく、作業者は作業台板１５に載って安全に作業を行うことができる。そして、作業の進捗状態等を勘案して、必要に応じて、作業者が足踏み式ペダル１８ａを操作することで、作業台板１５を上昇させることができる。従って、活線作業を中断することなく作業台板１５の高さを調整することができる。
【００３０】
次いで、作業台板１５を、例えば、左方向（センター位置から４５°左）に転回させたい場合（図５（ｃ）参照）には、位置決めピン３ｅを引き出して支持部材４の支軸９ｄのピン孔に対する位置決めピン３ｅの係入状態を解除し、作業台板１５を左方向に転回させて、支持部材４の一方の位置決めピン９ｅを、取付金具３の上側の固定部材３ａに形成されたピン孔３ｆに係入させればよい。また、作業台板１５を右方向（センター位置から４５°右）に転回させる場合（図５（ａ）参照）も同様に行うことができる。
【００３１】
作業が終了して、柱上組立式作業台を撤去する際には、まず、油圧力発生装置１８のハンドル１８ｂを回動操作して作業台板１５を最下位置に下げた状態として、支持部材４の横置フレーム８に設けてある係止ピン８ｅ，８ｅを引き出して台フレーム１３のピン孔１３ｅ，１３ｅに対する係入状態を解除すると共に、作業台ユニット５を電柱２の方に少しスライドさせることで横桟８ａに対する係止部材１９の係止状態を解除して、作業台ユニット５を支持部材４から分離して吊り下ろす。次いで、支持部材４の一方の位置決めピン９ｅを引き出して取付金具３のピン孔３ｆに対する係入状態を解除し、支持部材４を取付金具３から分離して吊り下ろす。次に、締結手段７，７を緩めて、チェーン６，６による電柱２に対する取付金具３の緊締状態に解除して、取付金具３を電柱２から分離して吊り下ろせば撤去作業が完了する。
【００３２】
このように、作業台板１５に乗載した作業者が足踏み式ペダル１８ａを操作することで、作業台板１４の高さを調整することができるため、従来のように活線作業を中断する必要がなくなり、作業能率が向上する。また、取付部材３、支持部材４及び作業台ユニット５がそれぞれ着脱自在（分解組立自在）であるから、個々の部材を柱２の上部へ容易に吊り上げて組み立てることができ、取り外す際の作業性も良好となる。
【００３３】
〔実施の形態２〕
図６は柱上組立式作業台の側面図、図７は正面図、図８は平面図である。これらの図に示すように、この柱上組立式作業台は、締付け部材２１を介して電柱２に着脱自在に固定される取付部材２３と、取付部材２３に対して水平面内の角度調整可能で上下位置固定となるように着脱自在に取付られる支持部材２４と、支持部材２４上に配設されるリンク部材１４ａ，１４ｂにより水平状態を保持して上下位置調整自在に支持される作業台板３５と、を備え、リンク部材１４ａ，１４ｂ間に設けられる油圧シリンダー１６を操作するための足踏み式ペダル付きの油圧力発生装置１８を作業台板３５上に設けている。
【００３４】
取付部材２３は、電柱２の曲面に沿うように二股状に形成された当接部を有する内側本体２３Ａと、その内側本体２３Ａに係止ピン２３ａにより一体化される外側本体２３Ｂと、からなり、その内側本体２３Ａの上部と下部の一端に設けられたブラケットには、ボルト・ナットを介してチェーン２６，２６接続され、他端に設けられたブラケットには、締結手段２７，２７が設けられており、これらチェーン２６及び締結手段２７からなる締付け部材２１により、取付部材２３を電柱２に着脱自在な緊締状態に固定することができる。また、外側本体２３Ｂの上部と下部には、支持部材４を着脱自在に支持するための支持ブラケット３９，４０が設けられている。なお、チェーン２６に代えてベルトが用いられてもよい。
【００３５】
支持部材２４は、アングル材等を組み合わせて形成され、所定の間隔をおいて水平方向に並行に配設される断面略コ字状のガイドレール３１，３１と、そのガイドレール３１，３１の先端側に差し渡される接続部材３２の下部に先端が固定されて傾斜状に配設される支持アーム３３と、を有し、ガイドレール３１，３１の基部に差し渡された基板３４と支持アーム３３の基部が、取付部材２３の前面上部と下部に取り付けられた支持ブラケット３９，４０に、水平面内に回動自在となるように、ボルト，ナット４１，４２、４３，４４の締結により着脱自在に枢支されている。また、ガイドレール３１，３１の基部には、作業者の足掛け用のステップ２２，２２が外側に向けて突設されている。
【００３６】
取付部材２３の前面上部に設けられた支持ブラケット３９の上面には、ボルト４１を軸とする円弧上に３つのピン孔ａ，ｂ，ｃ（図８参照）が開設される一方、ガイドレール３１，３１の基部に差し渡された基板３４には、上記３つのピン孔ａ，ｂ，ｃに対応する単一のピン孔（符号省略）が開設されており、そのピン孔を、上記３つのピン孔ａ，ｂ，ｃの何れかに対応させて、ストッパーピン４５を差し込むことで、支持部材２４を、作業台板３５と共に、図示のセンター位置と、左右に４５°回動した位置とに位置決めできるようにしている。
【００３７】
リンク部材１４ａ，１４ｂは、作業台板３５を支持するために、支持部材２４上に着脱自在に左右に一対が配設される。作業台板３５は、その両側下部に断面略コ字状の一対のガイドレール３５ａ，３５ａを備え、その基部側上面には油圧力発生装置１８が設けられており、リンク部材１４ａ，１４ｂ間には、油圧ホース１７を介して油圧力発生装置１８に接続される油圧シリンダー１６が設けられている。
【００３８】
左右のリンク部材１４ａ，１４ｂは、その中央部で接続バー４６を介したボルト締結により相対的に回動自在となるように連結され、リンク部材１４ｂの一端は、ガイドレール３５ａの基部側に開設されたピン孔に挿入される割りピンを備えた支軸４７により回動自在に枢結される一方、リンク部材１４ａの一端は、ガイドレール３１の基部側に開設されたピン孔に挿入される割りピンを備えた支軸４８により回動自在となるように着脱自在に枢支される。
【００３９】
そのリンク部材１４ａ，１４ｂの各他端に枢支されたローラ４９，５０はそれぞれガイドレール３１，３５ａに摺動自在に遊嵌され、足踏み式ペダルにより油圧シリンダー１６を操作することで、作業台板３５を水平状態で上昇させることができるように構成されている。なお、左右のローラ４９，４９、５０，５０の支軸（符号省略）は、接続バー５１，５２によって一体的に接続されている。
【００４０】
以上のように構成される柱上組立式作業台の電柱２の組み付け手順等について説明すると、まず、作業者が電柱２に登り、ロープ等で取付部材２３を吊り上げた後、締付け部材２１で電柱２に取付部材２３を緊締状態に固定する。次いで、支持部材２４を吊り上げ、その基部を、ボルト，ナット４１，４２、４３，４４により、取付部材２３の支持ブラケット３９，４０に対して水平面内に回動自在となるように枢結する。
【００４１】
次に、作業台板３５と一体のリンク部材１４ａ，１４ｂを吊り上げ、まず、リンク部材１４ａの他端に枢支されたローラ４９を、ガイドレール３１に前方から嵌め込み、次いで、リンク部材１４ｂの一端を、割りピンを備えた支軸４８により、ガイドレール３１の基部側に開設されたピン孔に回動自在に枢結する。そして、電柱２に対する作業台板３５の水平面内の対応角度を選択して対応する３つのピン孔ａ，ｂ，ｃの何れかにストッパーピン４５を差し込み、作業台板３５を位置決めする。この状態で、電柱２に対する柱上組立式作業台の組み付け作業が終了する。
【００４２】
そして、作業の進捗状態等を勘案して、必要に応じて、作業台板３５に乗載した作業者が油圧力発生装置１８の足踏み式ペダル（図示省略）を操作することで、作業台板３５の上下位置を調整すればよい。その上下位置の調整は、足踏み操作で可能であるから、活線作業を中断することなく行うことができる。
【００４３】
また、取付部材２３、支持部材２４、作業台板３５及びリンク部材１４ａ，１４ｂがそれぞれ分割組立可能（３分割）であるため、個々の部材を電柱２の上部へ容易に吊り上げて組み立てることができ、また、取り外す際にも、分割できるため取り扱い作業性が良好となる。本実施の形態では、前実施の形態における台フレームが不要となるため、全体の重量を軽減化することができる。なお、支持部材２４は、作業台板３５及びリンク部材１４ａ，１４ｂと予め地上で組み立てておいて２分割方式としてもよい。そうすれば、柱上での組立作業が容易となる。
【００４４】
本発明は、実施の形態に限定されることなく、発明の要旨を逸脱しない限りにおいて、適宜、必要に応じて、設計変更や改良等を行うのは自由であり、例えば、締付け部材は、チェーンに代えてベルトを用いてもよく、柱は、電柱以外のものであってもよい。また、油圧力発生装置は、足踏み式ペダルを備えたものの他、手動ハンドルで操作するものや電動式のものであってもよい。電動式の場合、必ずしも柱上組立式作業台に搭載される必要はなく、別途、油圧ホースが届く範囲内の柱上の適所又は柱から離れた柱上組立式作業台の近傍位置等に支持させてもよく、また、その起動操作は手動スイッチの他、遠隔操作で行うようにしてもよい。さらに、実施の形態１の場合においても、ステップを設けることが可能であり、その場合、例えば、ユニット受部８ｂ，８ｂをさらに外方に延出させてステップを形成し、その外側に係止ピン８ｅ，８ｅを設ければよい。
【図面の簡単な説明】
【００４５】
【図１】本発明の実施の形態１に係る柱上組立式作業台が電柱に組み付けられた状態の側面図である。
【図２】（ａ）は同取付金具の平面図、（ｂ）は正面側から見た斜視図である。
【図３】（ａ）は同支持部材の側面から見た斜視図、（ｂ）は平面的な斜視図である。
【図４】（ａ）は同作業台ユニットの側面から見た斜視図、（ｂ）は平面的な斜視図である。
【図５】同作業台板の向きを変化させた時の説明図で、（ａ）は４５°右側に向けた状態、（ｂ）はセンター位置の状態、（ｃ）は４５°左側に向けた状態を示す。
【図６】本発明の実施の形態２に係る柱上組立式作業台が電柱に組み付けられた状態の側面図である。
【図７】同柱上組立式作業台の正面図である。
【図８】同柱上組立式作業台の平面図である。
【符号の説明】
【００４６】
１，２１…締付け部材、２…柱、３，２３…取付部材、４，２４…支持部材、５…作業台ユニット、１３…台フレーム、１４ａ，１４ｂ…リンク部材、１５，３５…作業台板、１６…油圧シリンダー、１８…油圧力発生装置、１８ａ…足踏み式ペダル、２２…ステップ
【図１】
2006214229.tif 000003
【図２】
2006214229.tif 000004
【図３】
2006214229.tif 000005
【図４】
2006214229.tif 000006
【図５】
2006214229.tif 000007
【図６】
2006214229.tif 000008
【図７】
2006214229.tif 000009
【図８】
2006214229.tif 000010